(57)【要約】【課題】  この発明は、第一に自分が向かおうとしている地点の方向を一目で理解できるようにすること、第二に自分が現在いる地点のゾーンを一目で理解できるようにすることを課題とするものである。【解決手段】  この発明は、特定のエリア内における案内表示装置を以下のように構成するものである。  ゾーンごとにそのゾーンを標示するゾーンカラーを決め、エリア内の案内地図１はゾーンごとに前記ゾーンカラー３を彩色し、エリア内に適宜設置される案内表示具１１における案内先への方向指示標識１３には、その方向指示標識が指示するゾーンのゾーンカラーを彩色して構成する。  上記構成により、地図上のゾーンカラーと案内表示具の色彩とが一致し、目的地への順路が明らかとなる。【選択図】  図２
2006235511.tif 000002
【特許請求の範囲】
【請求項１】
特定のエリア内における案内表示装置であって、
ゾーンごとにそのゾーンを標示するゾーンカラーが決められており、
エリア内の案内地図はゾーンごとに前記ゾーンカラーが彩色され、
エリア内に適宜設置される案内表示具における案内先への方向指示標識には、その方向指示標識が指示するゾーンのゾーンカラーが彩色された、
案内表示装置
【請求項２】
案内表示具の本体には、その案内表示具が設置されたゾーンのゾーンカラーが彩色された、
請求項１記載の案内表示装置
【請求項３】
エリア内の案内地図はゾーンごとにゾーンカラーで彩色されると共に、各ゾーンごとにシンボルマークが併せて標示され、案内表示具の本体及び方向指示標示にはシンボルマークが表された、
請求項１又は２に記載の案内表示具
【発明の詳細な説明】
【技術分野】
【０００１】
この発明は、公園やイベント会場、観光地など、特定のエリア内における案内表示装置に関するものである。
【背景技術】
【０００２】
従来この種の案内表示装置において、ポールなどの案内表示具本体に矢羽根状の方向指示標識を取り付けた案内表示具を、エリア内に適宜設置することは普通に行われている。また、案内地図においてエリア内を複数のゾーンに分け、ゾーンごとに色分けして標示することも行われている。
しかしながら、案内地図がゾーンごとに色分けされていても、その色分けが案内表示具に反映されていない。そのために、ゾーンごとに色分けされた案内地図を手にしてエリア内を歩いているときに、目的地の方向を理解しにくい。
【０００３】
例えば、自分が「赤ゾーンのＡ地点」へ行こうとしているときに、同じく「赤ゾーンのＢ地点」の案内標示を目にしても、その標示が自分の目的地と同じエリアに対する標示であることを容易に理解できない。そのために、前記「赤ゾーンのＢ地点」を指示する案内表示に従って歩けば目的地である「赤ゾーンのＡ地点」にたどり着くことができるにも関わらず、道に迷ったり、遠回りをしてしまうことがある。
また、案内表示具自体に現在地のエリアが標示されていないので、案内表示具を見ても自分が今どのゾーンにいるのかを容易に理解することができない。
【発明の開示】
【発明が解決しようとする課題】
【０００４】
この発明は、第一に自分が向かおうとしている地点の方向を一目で理解できるようにすること、第二に自分が現在いる地点のゾーンを一目で理解できるようにすることを課題とするものである。
【課題を解決するための手段】
【０００５】
この発明は、特定のエリア内における案内表示装置を以下のように構成するものである。
請求項１の発明は、ゾーンごとにそのゾーンを標示するゾーンカラーを決め、エリア内の案内地図はゾーンごとに前記ゾーンカラーを彩色し、エリア内に適宜設置される案内表示具における案内先への方向指示標識には、その方向指示標識が指示するゾーンのゾーンカラーを彩色して構成する。
請求項２の発明は、案内表示具の本体にその案内表示具が設置されたゾーンのゾーンカラーを彩色するものであり、請求項３の発明は、エリア内の案内地図はゾーンごとにゾーンカラーと共に各ゾーンごとにシンボルマークを併せて標示し、案内表示具の本体及び方向指示標示にはゾーンカラーと共にシンボルマークを標示したものである。
【０００６】
前記エリア内の案内地図は、エリア内に固定設置される表示板形式のものと、エリアへの来所者に配布するパンフレット、リーフレット、冊子形式のものなどが含まれる。
案内表示具は、地盤に固定する案内表示具本体に案内先を指標する方向指示標識を設けて構成する。前記案内表示具本体としては、ポール状に限られず、彫刻のような造形物とすることもでき、ポール状とした場合は外灯の支柱と共用としてもよい。
前記シンボルマークは、任意の図柄、幾何学模様などを適宜採用することができる。
【発明の効果】
【０００７】
請求項１の発明においては、エリア内の案内地図と案内表示具における案内先への方向指示標識に、その方向指示標識が指示するゾーンのゾーンカラーを彩色してあるので、自分が行こうとする具体的な地点が案内表示具に示されていない場合であっても、地図で自分が行こうとする地点のゾーンカラーを知ることにより、方向指示標識に彩色されたゾーンカラーの案内に従って移動することにより、自分が行こうとするゾーンにたどり着くことができ、その結果、自分が行こうとする地点に容易に到達することができる。
【０００８】
請求項２の発明は、案内表示具の本体にその案内表示具が設置されたゾーンのゾーンカラーを彩色してあるので、案内表示具の本体に標示されたゾーンカラーを地図と照合することにより、自分の位置を容易に理解することができる。
請求項３の発明は、ゾーンごとにシンボルマークを併せて標示し、案内表示具の本体及び方向指示標示にはゾーンカラーと共にシンボルマークを標示したので、色彩に頼らなくとも案内表示具の情報を理解することができ、色弱者であっても標示に従った行動をすることができる。
【発明を実施するための最良の形態】
【０００９】
図１はこの発明の地図１を標示した総合案内板２である。この地図１は対象となるエリア（例えば公園）を３つのゾーン（ゾーンＡ、ゾーンＢ、ゾーンＣ）に区分けし、各ゾーンに異なるゾーンカラー３を彩色して４色に色分けして標示してある。以下各ゾーンのゾーンカラーを示す場合、前記ゾーン符号ＡないしＣと組み合わせてゾーンカラー３Ａというように標示する。
前記各ゾーンには、前記ゾーンカラー３と共に、各ゾーンのシンボルマーク４が標示してある。以下各ゾーンのシンボルマークを示す場合、前記ゾーン符号ＡないしＣと組み合わせてシンボルマーク４Ａというように標示する。
【００１０】
前記総合案内板２の一側には、エリア内のポイントとなる地点の名称（たとえば「ちびっ子広場」「池」など）５が、その地点が属するエリアのシンボルマーク４と共に標示してある。
前記総合案内板２を支持する左右の柱６，７及び左の柱の更に左の独立した柱８は、地図１に表されたゾーンの色彩に対応させた色彩が彩色してある。すなわち、左の柱６は地図上中央部のゾーンＡのゾーンカラー３Ａで、右側の柱７は地図上右側のゾーンＢのゾーンカラー３Ｂで、更に左の柱は地図上左側のゾーンＣのゾーンカラー３Ｃで彩色してあり、併せて各ゾーンのシンボルマーク４Ａ、４Ｂ、４Ｃが標示してある。
【００１１】
上記構成により、柱及び桁の色彩及びシンボルマークにより、地図に表された各ゾーンカラーを、現実の方向性と即座に一致させて理解することができる。
【００１２】
図２は、エリア内の分岐路などに適宜設置される案内表示具１１である。この案内表示具１１は、円柱状の案内表示具本体１２に周壁に方向支持標識１３を複数取り付けて構成してある。
前記案内表示具本体１２は、この案内表示具が設置されているゾーンのゾーンカラーで彩色されている。前記方向指示標識１３は指示すべき地点方向を鋭角とした三角形の板であって、指示すべき地点のゾーンのシンボルマーク４が表されている。そして、前記方向指示標識１３はこの案内表示具１１が設置されているゾーンのゾーンカラーを基調色としつつ、指示すべき地点のゾーンカラー３が目立つように表されている。
【００１３】
前記複数の方向指示標識１３は、それぞれが目立つように異なる高さに取り付けてあり、各方向指示標識１３から下方に向けて、案内表示具本体１３に各方向指示標識が標示するゾーンのゾーンカラーでゾーンカラー直線１４が表してある。すなわち、ゾーンＡを指示する方向指示標識１３Ａにはゾーンカラー３Ａが彩色され、その下方に向けてゾーンカラー３Ａのゾーンカラー直線１４Ａが表してある。以下同様に、ゾーンＢを指示する方向指示標識１３Ｂにはゾーンカラー３Ｂが、その下方に向けてゾーンカラー３Ｂのゾーンカラー直線１４Ｂが、ゾーンＣを指示する方向指示標識１３Ｃにはゾーンカラー３Ｃが、その下方に向けてゾーンカラー３Ｃのゾーンカラー直線１４Ｃが、それぞれ表してある。
前記各ゾーンカラー直線１４に沿って、各ゾーンに位置するポイントの地名１５が標示してある。
【００１４】
上記構成によりエリアを歩く者は、以下の情報を迅速に得ることができる。
まず、案内表示具本体１２の色彩によって、自分が今いるゾーンを理解することができる。
次に、地図によって自分が行こうとする地点のゾーンのゾーンカラーを認識していれば、案内表示具本体１２に標示された地名を見ることなく、方向指示標識１３に表されたゾーンカラー３又はシンボルマーク４を認識するだけで、目的の地点へ向かうことができる。この場合、各自が地図を持参していたり、案内表示具１１の近傍に地図を標示した案内板が設置してあれば、向かうゾーンのゾーンカラーの認識が容易となる。
また、向かう地点のゾーンカラーと照合せずに、方向指示標識１３と地名１５によって自分が行こうとする地点の方向を知ることもできる。
【００１５】
図３はエリア内のスポットとなる地点に立てられたポール２１である。このポール２１は、このポール２１が立てられた地点のゾーンカラー３（例えば３Ａ）で彩色され、そのゾーンのシンボルマーク４Ａ及び地名１５が大きく標示してある。また、ポール２１が立てられた地点を中心として、他のゾーンの方向を示すために、他のゾーンのシンボルマーク、例えば４Ｃが前記そのゾーンのシンボルマーク４Ａよりも小さく表してある。
【００１６】
上記他のゾーンのシンボルマーク４Ｃによって、次に向かうゾーンの方向を知ることができる。
【００１７】
図４はトイレの位置を表示するための表示具である。この表示具はトイレの場所に設置する背の高いポール２２と、トイレへの順路に設置する背の低いポール２３とで構成する。前記ポール２２，２３は、前記地図１においてトイレ設置場所を表示する色彩と同じ色彩で彩色されており、背の低いポール２３にはトイレへの順路を示す矢印板２４が取り付けてある。
前記背の高いポール２２は離れた位置からも視認できるような高さとしてあり、エリア内を移動する者は、遠くから前記背の高いポール２２を見つけてトイレの場所を知り、背の低いポール２３の案内に従って移動することにより、迷うことなくトイレに到着することができる。
【００１８】
図５は車椅子が通行できる舗道２５を示し、車椅子表示２６とトイレへの順路表示２７が表示されている。この順路表示は前記地図１におけるトイレ表示と同じ色彩としてある。
前記車椅子表示２６は、エリア内の車椅子での移動に適した舗道を示すものであり、車椅子利用者はこの車椅子表示２６を目印として移動することにより、車椅子での移動に適さない場所に入り込むことがない。
また、車椅子利用者は視点が低いので前記ポールによるトイレの案内は適さない場合がある。そこで、舗道にトイレへの順路表示をすることにより、車椅子利用者も迷わずにトイレへ移動することができる。
【産業上の利用可能性】
【００１９】
この発明は、公園やイベント会場、観光地などの一定のエリア内の案内表示を、色彩を用いることにより統一的に理解できるものとし、エリア内を移動する者にエリア内のスポットとなる地点を容易かつ迅速に認識させることのできるものであって、産業上の利用可能性を有するものである。
【図面の簡単な説明】
【００２０】
【図１】この発明実施形態の地図を標示した総合案内板
【図２】この発明実施形態の案内表示具
【図３】この発明実施形態と併用するポール
【図４】この発明実施形態と併用するトイレ案内用ポール
【図５】この発明実施形態と併用する案内表示を施した舗道
【符号の説明】
【００２１】
１    地図
２    総合案内板
３    ゾーンカラー
４    シンボルマーク
６，７，８  柱
１１  案内表示具
１２  案内表示具本体
１３  方向指示標識
１４  ゾーンカラー直線
１５  地名
２１  ポール
２２  トイレ案内ポール
２３  トイレ案内ポール
２５  舗道
２６  車椅子表示
２７  トイレ案内表示
【図１】
2006235511.tif 000003
【図２】
2006235511.tif 000004
【図３】
2006235511.tif 000005
【図４】
2006235511.tif 000006
【図５】
2006235511.tif 000007